(57)【要約】      （修正有）【課題】注文状況に応じて得られる特典をその注文時に利用者に適切に知らせることができる注文受付装置およびそのプログラムを提供する。【解決手段】注文受付装置は、注文を受付ける注文受付手段、および制御手段を備える。制御手段は、特典を注文条件と共に定めた複数のクーポン情報のうち、販売の促進を図るために注文状況に応じて得られる特典をその注文時に利用者に適切に知らせることができ、かつ注文条件が前記注文の受付け内容に適合するクーポン情報を選定し、選定したクーポン情報の特典を報知する。【選択図】図５
2014160348.tif 000002
【特許請求の範囲】
【請求項１】
注文を受付ける注文受付手段と、
特典を注文条件と共に定めた複数のクーポン情報のうち、注文条件が前記注文の受付け内容に適合するクーポン情報を選定し、選定したクーポン情報の特典を報知する制御手段と、
を備えることを特徴とする注文受付装置。
【請求項２】
前記注文受付手段は、表示部を有し、注文受付用の処理画面を前記表示部で表示し、その処理画面に対する操作に応じて注文を受付けるオーダ端末である、
ことを特徴とする請求項１に記載の注文受付装置。
【請求項３】
前記注文条件は、注文の受付け時刻について規定した注文時刻条件、注文の受付け品名について規定した注文品名条件、および注文の受付け個数について規定した注文個数条件を含む、
ことを特徴とする請求項１または請求項２に記載の注文受付装置。
【請求項４】
前記制御手段は、
利用者に与える特典を注文条件と共に定めた複数のクーポン情報のうち、注文時刻条件および注文品名条件が前記注文の受付け時刻および受付け品名に適合するクーポン情報を選定する第１制御手段と、
前記選定したクーポン情報の注文個数条件に前記注文の受付け個数が達していない場合、その注文個数条件と前記注文の受付け個数との差分の追加注文により前記選定したクーポン情報の特典が得られる旨を報知する第２制御手段と、
前記選定したクーポン情報の注文個数条件に前記注文の受付け個数が達している場合、前記選定したクーポン情報の特典を報知する第３制御手段と、
を含む、
ことを特徴とする請求項３に記載の注文受付装置。
【請求項５】
前記選定したクーポン情報の特典が物品の供与である場合、その供与が必要な旨を報知する制御手段と、
前記選定したクーポン情報の特典が金額の割引である場合、その割引を前記注文の受付け内容に応じた会計金額の算出に組入れる制御手段と、
をさらに備えることを特徴とする請求項１乃至請求項４のいずれかに記載の注文受付装置。
【請求項６】
注文を受付ける注文受付手段、およびコンピュータを備えた注文受付装置において、
前記コンピュータを、
特典を注文条件と共に定めた複数のクーポン情報のうち、注文条件が前記注文の受付け内容に適合するクーポン情報を選定し、選定したクーポン情報の特典を報知する手段、
として機能させることを特徴とする注文受付装置のプログラム。
【発明の詳細な説明】
【技術分野】
【０００１】
本開示は、商品の注文を受付ける注文受付装置およびそのプログラムに関する。
【背景技術】
【０００２】
商品を販売する店舗たとえば飲食店では、タッチパネル式のオーダ端末を来客用のテーブルに設置し、そのオーダ端末へのタッチ操作に応じて商品の注文を受付けるいわゆるセルフオーダ方式の注文受付システムが普及している。
【０００３】
また、販売の促進を図るため、利用者が得られる特典を例えば割引券・優待券・景品引換券・食券等のいわゆるクーポンとして頒布する店舗が増えている。
【先行技術文献】
【特許文献】
【０００４】
【特許文献１】特開２００９−１６３５４５号公報
【発明の概要】
【発明が解決しようとする課題】
【０００５】
頒布されるクーポンの内容は、多様化する傾向にある。このため、利用者にとっては、どのクーポンが利用できるのか、あるいはどのような条件でどのような特典が得られるのか、非常に分かり難い。
【０００６】
本発明の実施形態の目的は、注文状況に応じて得られる特典をその注文時に利用者に適切に知らせることができる注文受付装置およびそのプログラムを提供することである。
【課題を解決するための手段】
【０００７】
本発明の実施形態の注文受付装置は、注文を受付ける注文受付手段、および制御手段を備える。制御手段は、特典を注文条件と共に定めた複数のクーポン情報のうち、注文条件が前記注文の受付け内容に適合するクーポン情報を選定し、選定したクーポン情報の特典を報知する。
【図面の簡単な説明】
【０００８】
【図１】一実施形態の構成を示すブロック図。
【図２】一実施形態の土・日・休日用のクーポン情報テーブルを示す図。
【図３】一実施形態の平日用のクーポン情報テーブルを示す図。
【図４】一実施形態のオーダ端末の制御回路を示すブロック図。
【図５】一実施形態の制御を示すフローチャート。
【図６】一実施形態のメニュー画面を示す図。
【図７】一実施形態の販売促進用のメッセージ画面を示す図。
【図８】一実施形態のクーポン発行画面を示す図。
【図９】一実施形態の会計金額確認画面を示す図。
【図１０】一実施形態の販売促進用のメッセージ画面の他の例を示す図。
【図１１】一実施形態のクーポン発行画面の他の例を示す図。
【図１２】一実施形態の会計金額確認画面の他の例を示す図。
【発明を実施するための形態】
【０００９】
以下、一実施形態について図面を参照して説明する。  
図１において、オーダ端末１ａ，１ｂ，…１ｎは、注文受付用の処理画面をタッチパネル式のカラー液晶表示部２で表示し、その処理画面に対する操作に応じて商品の注文を受付ける（注文受付手段）。これらオーダ端末１ａ，１ｂ，…１ｎを商店たとえば飲食店の複数のテーブル上に１台ずつ配置する。
【００１０】
そして、同飲食店に、サーバであるオーダステーション１０、通信ネットワークたとえばＬＡＮ（ローカル・エリア・ネットワーク）２０、無線アクセスユニット（アクセスポイントともいう）２１、スタッフ端末２２、キッチンプリンタ２３、およびＰＯＳ端末２４を設置する。ＬＡＮ２０は、外部の通信ネットワーク２５への接続が可能である。
【００１１】
これらオーダ端末１ａ，１ｂ，…１ｎ、オーダステーション１０、ＬＡＮ２０、無線アクセスユニット２１、スタッフ端末２２、キッチンプリンタ２３、およびＰＯＳ端末２４により、商品の注文を受付ける注文受付装置を構成している。
【００１２】
オーダステーション１０は、コンピュータのＣＰＵ１１、操作部１２、表示部１３、記憶部１４、およびネットワークインタフェース１５を含む。記憶部１４は、ＣＰＵ１１の制御に必要な各種プログラム、図２の土・日・休日用のクーポン情報テーブル、および図３の平日用のクーポン情報テーブルなどを記憶している。
【００１３】
図２の土・日・休日用のクーポン情報テーブルは、土・日・休日に利用者に与える特典を注文条件と共に定めた複数のクーポン情報を格納している。例えば、サラダ用のクーポン情報、ソフトドリンク用のクーポン情報、ソフト＆アルコールドリンク用のクーポン情報、揚げ物用のクーポン情報、刺身用の２種類のクーポン情報を格納している。注文条件は、注文の受付け時刻について規定した注文時刻条件、注文の受付け品名について規定した注文品名条件、および注文の受付け個数について規定した注文個数条件を含む。
【００１４】
すなわち、サラダ用のクーポン情報は、注文時刻条件［11:00〜14:00］、注文品名条件［サラダ］、注文個数条件［２品以上］、および特典［ソフトドリンク１杯無料］からなる。ソフトドリンク用のクーポン情報は、注文時刻条件［14:00〜18:00］、注文品名条件［ソフトドリンク］、注文個数条件［３杯以上］、および特典［100円割引］からなる。
【００１５】
ソフト＆アルコールドリンク用のクーポン情報は、注文時刻条件［18:00〜21:00］、注文品名条件［ソフトドリンク＆アルコールドリンク］、注文個数条件［５杯以上］、および特典［ドリンク類１杯無料］からなる。揚げ物用のクーポン情報は、注文時刻条件［19:00〜21:00］、注文品名条件［揚げ物］、注文個数条件［２品以上］、および特典［100円割引］からなる。
【００１６】
刺身用の１つ目のクーポン情報は、注文時刻条件［21:00〜22:30］、注文品名条件［刺身］、注文個数条件［２品以上］、および特典［100円割引］からなる。刺身用の２つ目のクーポン情報は、日持ちのよくない生鮮食品である刺身を閉店前に売り切りたいとの思惑から用意したもので、注文時刻条件［22:30〜23:00］、注文品名条件［刺身］、注文個数条件［１品以上］、および特典［200円割引］からなる。注文時刻条件が閉店時刻に近い２つ目のクーポン情報のほうが、１つ目のクーポン情報よりも、注文個数条件の数値が少なく、しかも特典の割引額が多い。
【００１７】
図３の平日用のクーポン情報テーブルは、平日に利用者に与える特典を注文条件と共に定めた複数のクーポン情報を格納している。例えば、サラダ用のクーポン情報、ソフトドリンク用のクーポン情報、ソフト＆アルコールドリンク用のクーポン情報、揚げ物用のクーポン情報、刺身用の２種類のクーポン情報を格納している。
【００１８】
サラダ用のクーポン情報は、注文時刻条件［11:00〜14:00］、注文品名条件［サラダ］、注文個数条件［２品以上］、および特典［ソフトドリンク１杯無料］からなる。このクーポン情報は、土・日・休日用のものと同じである。ソフトドリンク用のクーポン情報は、注文時刻条件［14:00〜18:00］、注文品名条件［ソフトドリンク］、注文個数条件［３杯以上］、および特典［100円割引］からなる。このクーポン情報は、特典の割引額が土・日・休日用のものより100円多い。
【００１９】
ソフト＆アルコールドリンク用のクーポン情報は、注文時刻条件［18:00〜21:00］、注文品名条件［ソフトドリンク＆アルコールドリンク］、注文個数条件［５杯以上］、および特典［ドリンク類２杯無料］からなる。このクーポン情報は、特典の無料杯数が土・日・休日用のものより１杯多い。揚げ物用のクーポン情報は、注文時刻条件［19:00〜21:00］、注文品名条件［揚げ物］、注文個数条件［２品以上］、および特典［200円割引］からなる。このクーポン情報は、特典の割引額が土・日・休日用のものより100円多い。
【００２０】
刺身用の１つ目のクーポン情報は、注文時刻条件［21:00〜22:30］、注文品名条件［刺身］、注文個数条件［２品以上］、および特典［200円割引］からなる。このクーポン情報は、特典の割引額が土・日・休日用のものより100円多い。刺身用の２つ目のクーポン情報は、日持ちのよくない生鮮食品である刺身を閉店前に売り切りたいとの思惑から用意したもので、注文時刻条件［22:30〜23:00］、注文品名条件［刺身］、注文個数条件［１品以上］、および特典［250円割引］からなる。このクーポン情報は、特典の割引額が土・日・休日用のものより50円多い。
【００２１】
ネットワークインタフェース１５は、ＣＰＵ１１と、無線アクセスユニット２１、スタッフ端末２２、キッチンプリンタ２３、ＰＯＳ端末２４との間のデータ通信を、ＬＡＮ２０を介して行う。
【００２２】
無線アクセスユニット２１は、オーダステーション１０から供給されるデータをオーダ端末１ａ，１ｂ，…１ｎに向け無線送信するとともに、オーダ端末１ａ，１ｂ，…１ｎから無線送信されるデータを受信してオーダステーション１０に伝送する。スタッフ端末２２は、カラー液晶表示部を有し、注文内容を係員に知らせるための注文受付画面などを表示する。キッチンプリンタ２３は、注文内容を厨房の調理スタッフに知らせるための注文書をプリントする。ＰＯＳ端末２４は、オーダステーション１０が算出する会計金額に応じた会計処理を実行する。
【００２３】
オーダステーション１０のＣＰＵ１１は、記憶部１４内のプログラムに基づく主要な機能として、次の（１）〜（４）の手段を有する。  
（１）図２および図３のクーポン情報テーブル内の複数のクーポン情報のうち、注文条件が各オーダ端末における注文の受付け内容に適合するクーポン情報を選定し、選定したクーポン情報の特典を各オーダ端末のカラー液晶表示部２の表示により報知する制御手段。
【００２４】
（２）上記選定したクーポン情報の特典が物品の供与である場合、その供与が必要な旨をスタッフ端末２２の表示により係員に報知する制御手段。
【００２５】
（３）各オーダ端末で受付けた注文内容に応じた会計金額をオーダ端末ごとに算出する算出手段。
【００２６】
（４）上記選定したクーポン情報の特典が金額の割引である場合、その割引を上記算出手段による会計金額の算出に組入れる制御手段。
【００２７】
なお、（１）の制御手段は、具体的には、次の第１制御手段、第２制御手段、第３制御手段を含む。  
第１制御手段は、図２および図３のクーポン情報テーブル内の複数のクーポン情報のうち、注文時刻条件および注文品名条件が各オーダ端末における注文の受付け時刻および受付け品名に適合するクーポン情報を選定する。
【００２８】
第２制御手段は、上記選定したクーポン情報の注文個数条件に各オーダ端末における注文の受付け個数が達していない場合、その注文個数条件と注文の受付け個数との差分の追加注文により上記選定したクーポン情報の特典が得られる旨を各オーダ端末での表示により報知する。
【００２９】
第３制御手段は、上記選定したクーポン情報の注文個数条件に、各オーダ端末における注文の受付け個数が達している場合、上記選定したクーポン情報の特典を各オーダ端末での表示により報知する。
【００３０】
一方、オーダ端末１ａの制御回路を図４に示す。オーダ端末１ａは、カラー液晶表示部２、スピーカ３、コンピュータのＣＰＵ５、ＲＯＭ６、ＲＡＭ７、送受信部８などを含む。ＲＯＭ６は、ＣＰＵ５の制御に必要な各種プログラム、注文を受付けるための処理画面の表示に必要な各種画像データ、音声案内に必要な音声データなどを記憶している。ＲＡＭ７は、各種データの記憶用である。送受信部８は、無線アクセスユニット２１との間で無線によるデータ通信を行う。  
他のオーダ端末１ｂ，…１ｎの制御回路も、オーダ端末１ａの制御回路と同じである。よって、その説明は省略する。
【００３１】
つぎに、オーダ端末１ａ，１ｂ，…１ｎのＣＰＵ５およびオーダステーション１０のＣＰＵ１１が実行する制御を図５のフローチャートを参照しながら説明する。なお、オーダ端末１ａを使用する場合の制御について説明する。  
オーダ端末１ａのＣＰＵ５は、注文受付用の処理画面として図６に示すメニュー画面をオーダ端末１ａのカラー液晶表示部２で表示し、そのメニュー画面に対するタッチ操作に応じた飲食品の注文を受付ける（ステップ１０１）。
【００３２】
メニュー画面は、オーダ端末１ａが載置されているテーブルの識別番号“１”の表示、商品である飲食品の画像とその品名を含む多数の商品選択釦Ｑ１の表示、注文一覧釦Ｑ２の表示、店員呼出釦Ｑ３の表示、その他メニュー釦Ｑ４の表示、取消釦Ｑ５の表示、確定釦Ｑ６の表示、会計釦Ｑ７の表示を含む。
【００３３】
注文情報入力用のメニュー画面としては、図６のメニュー画面のほかに、飲食品を詳細に指定したり、飲食品の個数を指定するための複数のメニュー画面がある。これらメニュー画面のいずれも、商品選択釦Ｑ１、注文一覧釦Ｑ２、店員呼出釦Ｑ３、その他メニュー釦Ｑ４、取消釦Ｑ５、確定釦Ｑ６、会計釦Ｑ７の表示を含む。オーダ端末１ａのＣＰＵ５は、これらメニュー画面をタッチ操作に応じて適宜に切換えながら飲食品の注文を受付け、その注文の受付け内容を確定釦Ｑ６のタッチ操作に応じて確定する。
【００３４】
オーダステーション１０のＣＰＵ１１は、オーダ端末１ａにおいて確定釦Ｑ６のタッチ操作に基づき注文の受付け内容が確定されたとき(ステップ１０２のＹＥＳ)、その注文の受付け内容に対応するクーポン情報を選定する（ステップ１０３）。すなわち、オーダステーション１０のＣＰＵ１１は、図２および図３のクーポン情報テーブル内の複数のクーポン情報のうち、注文時刻条件および注文品名条件がオーダ端末１ａにおける注文の受付け時刻および受付け品名に適合するクーポン情報を選定する。
【００３５】
［ソフト＆アルコールドリンク用のクーポン情報］  
例えば、注文の受付け時刻が土曜日の19:00で、注文の受付け品名がアルコールドリンクであれば、オーダステーション１０のＣＰＵ１１は、図２の土・日・休日用のクーポン情報テーブル内のソフト＆アルコールドリンク用のクーポン情報を選定する。注文の受付け時刻が同じ土曜日の19:00であっても、注文の受付け品名がサラダであれば、オーダステーション１０のＣＰＵ１１は、クーポン情報を選定しない。
【００３６】
オーダステーション１０のＣＰＵ１１は、ソフト＆アルコールドリンク用のクーポン情報を選定したとき（ステップ１０４のＹＥＳ）、アルコールドリンクの注文の受付け個数が、選定したソフト＆アルコールドリンク用のクーポン情報の注文個数条件［５杯以上］に達しているか否かを判定する（ステップ１０５）。
【００３７】
アルコールドリンクの注文の受付け個数が“４杯”の場合、オーダステーション１０のＣＰＵ１１は、注文の受付け個数が注文個数条件［５杯以上］に達していないとの判定の下に（ステップ１０５のＮＯ）、図７に示す販売促進用のメッセージ画面をオーダ端末１ａのカラー液晶表示部２で表示させる（ステップ１０６）。
【００３８】
このメッセージ画面は、注文の受付け個数“４杯”と注文個数条件［５杯以上］との差分（＝１杯）の追加注文によって特典が得られる旨を利用者に知らせる『ドリンク類あと１杯でクーポン発行です』という案内文Ａ１の表示、特典の内容を利用者に知らせるための『ドリンク類１杯無料』という説明文を破線の枠で囲んだクーポンパターンＡ２の表示、ＯＫ釦Ａ３の表示、および呼出釦Ａ４の表示を含む。
【００３９】
なお、注文の受付け個数“３杯”の場合は、案内文Ａ１の表示内容が、注文の受付け個数“３杯”と注文個数条件［５杯以上］との差分（＝２杯）の追加注文によって特典が得られる旨を利用者に報知する『ドリンク類あと２杯でクーポン発行です』となる。注文の受付け個数“２杯”の場合は、案内文Ａ１の表示内容が、注文の受付け個数“２杯”と注文個数条件［５杯以上］との差分（＝３杯）の追加注文によって特典が得られる旨を利用者に報知する『ドリンク類あと３杯でクーポン発行です』となる。
【００４０】
利用者は、このメッセージ画面を見ることにより、ドリンク類を追加注文することでドリンク類１杯無料という特典が得られること、その特典を得るためにはあと何杯の注文が必要かを的確に知ることができる。飲食店にとっては、販売量の増加が期待できる。
【００４１】
注文の受付け個数が注文個数条件［５杯以上］に達した場合（ステップ１０５のＹＥＳ）、オーダステーション１０のＣＰＵ１１は、図８に示すクーポン発行画面をオーダ端末１ａのカラー液晶表示部２で表示させる（ステップ１０７）。
【００４２】
このクーポン発行画面は、クーポン情報を発行する旨を利用者に知らせる『クーポンを発行します』という案内文Ａ５の表示、特典の内容を利用者に知らせるための『ドリンク類１杯無料』という説明文を太い実線の枠で囲んだクーポンパターンＡ６の表示、ＯＫ釦Ａ３の表示、および呼出釦Ａ４の表示を含む。
【００４３】
利用者は、このメッセージ画面を見ることにより、現時点でドリンク類１杯無料の特典が得られたことを知る。
【００４４】
ドリンク類１杯無料という特典は利用者への物品の供与であることから（ステップ１０８のＹＥＳ）、オーダステーション１０のＣＰＵ１１は、ドリンク類１杯を利用者へ供与する必要がある旨をスタッフ端末２２の表示により係員に知らせる（ステップ１１２）。この知らせを受けた係員は、オーダ端末１ａが設置されているテーブルに赴き、どのようなドリンク類が希望かを利用者に確認し、確認したドリンク類１杯を実際に利用者に与える。
【００４５】
オーダステーション１０のＣＰＵ１１は、メッセージ画面またはクーポン発行画面の表示に伴い、タイムカウントｔを開始する（ステップ１１１）。そして、オーダステーション１０のＣＰＵ１１は、タイムカウントｔが設定時間ｔｓに達したとき（ステップ１１２のＹＥＳ）、あるいは画面中のＯＫ釦Ａ３がタッチ操作されたとき（ステップ１１２のＮＯ、ステップ１１３のＹＥＳ）、メッセージ画面またはクーポン発行画面の表示を解除する(ステップ１１４)。この解除に伴い、オーダステーション１０のＣＰＵ１１は、ステップ１０１に戻ってオーダ端末１ａによる注文受付けを再開する（ステップ１０１）。
【００４６】
［刺身用のクーポン情報］  
注文の受付け時刻が土曜日の22:00で、注文の受付け品名が刺身であれば、オーダステーション１０のＣＰＵ１１は、図２の土・日・休日用のクーポン情報テーブル内の下から２段目の刺身用のクーポン情報を選定する。
【００４７】
この選定時(ステップ１０４のＹＥＳ)、オーダステーション１０のＣＰＵ１１は、刺身の注文の受付け個数が、選定した刺身用のクーポン情報の注文個数条件［２品以上］に達しているか否かを判定する（ステップ１０５）。
【００４８】
刺身の注文の受付け個数が“１品”の場合、オーダステーション１０のＣＰＵ１１は、注文の受付け個数が注文個数条件［２品以上］に達していないとの判定の下に（ステップ１０５のＮＯ）、図９に示す販売促進用のメッセージ画面をオーダ端末１ａのカラー液晶表示部２で表示させる（ステップ１０６）。
【００４９】
このメッセージ画面は、注文の受付け個数“１品”と注文個数条件［２品以上］との差分（＝１品）の追加注文によって特典が得られる旨を利用者に知らせる『お刺身あと１品でクーポン発行です』という案内文Ｂ１の表示、特典の内容を利用者に知らせるための『お刺身200円割引』という説明文を破線の枠で囲んだクーポンパターンＢ２の表示、ＯＫ釦Ｂ３の表示、および呼出釦Ｂ４の表示を含む。
【００５０】
利用者は、このメッセージ画面を見ることにより、刺身を追加注文することで200円割引という特典が得られること、その特典を得るためにはあと何品の注文が必要かを的確に知ることができる。飲食店にとっては、販売量の増加が期待できる。
【００５１】
注文の受付け個数が注文個数条件［２品以上］に達した場合（ステップ１０５のＹＥＳ）、オーダステーション１０のＣＰＵ１１は、図１０に示すクーポン発行画面をオーダ端末１ａのカラー液晶表示部２で表示させる（ステップ１０７）。
【００５２】
このクーポン発行画面は、クーポン情報を発行する旨を利用者に知らせる『クーポンを発行します』という案内文Ｂ５の表示、特典の内容を利用者に知らせるための『お刺身200円割引』という説明文を太い実線の枠で囲んだクーポンパターンＢ６の表示、ＯＫ釦Ｂ３の表示、および呼出釦Ｂ４の表示を含む。
【００５３】
利用者は、このメッセージ画面を見ることにより、現時点で“刺身200円割引”の特典が得られたことを知る。
【００５４】
“刺身200円割引”という特典は金額の割引であることから（ステップ１０８のＮＯ）、オーダステーション１０のＣＰＵ１１は、“刺身200円割引”という割引金額の情報を記憶部１４への記憶により保持する(ステップ１１０)。
【００５５】
オーダステーション１０のＣＰＵ１１は、メッセージ画面またはクーポン発行画面の表示に伴い、タイムカウントｔを開始する（ステップ１１１）。そして、オーダステーション１０のＣＰＵ１１は、タイムカウントｔが設定時間ｔｓに達したとき（ステップ１１２のＹＥＳ）、あるいはオーダ端末１ａにおけるＯＫ釦Ａ３のタッチ操作に応じて（ステップ１１２のＮＯ、ステップ１１３のＹＥＳ）、メッセージ画面またはクーポン発行画面の表示を解除する(ステップ１１４)。この解除に伴い、オーダステーション１０のＣＰＵ１１は、ステップ１０１に戻ってオーダ端末１ａによる注文受付けを再開する（ステップ１０１）。
【００５６】
［会計金額の算出］  
オーダステーション１０のＣＰＵ１１は、オーダ端末１ａにおける会計釦Ｑ７のタッチ操作に応じて(ステップ１１５のＹＥＳ)、それまで受付けた注文の内容に基づき、利用者が支払うべき会計金額を算出する(ステップ１１６)。この算出に際し、オーダステーション１０のＣＰＵ１１は、割引金額の情報を保持しているかどうか確認し、保持している場合はその割引金額の合計を会計金額の算出に組入れる。
【００５７】
例えば、注文の受付け内容に応じた注文総額が3,000円で、利用者に与える特典が“ドリンク類１杯無料”であった場合、オーダステーション１０のＣＰＵ１１は、割引金額の情報を保持していないので、会計金額3,000円を算出する。そして、オーダステーション１０のＣＰＵ１１は、図１１に示す会計金額確認画面をオーダ端末１ａのカラー液晶表示部２で表示させる（ステップ１１７）。
【００５８】
この会計金額確認画面は、会計金額を知らせる『お会計金額３，０００円』という案内文Ｃ１の表示、クーポンが利用されていることとそのクーポンの内容（特典）を知らせる『〜クーポンご利用〜ドリンク類１杯無料が適用あれています』という案内文Ｃ２の表示、ＯＫ釦Ｃ３の表示、および呼出釦Ｃ４の表示を含む。
【００５９】
また、注文の受付け内容に応じた注文総額が3,000円で、利用者に与える特典が“刺身200円割引”であった場合、オーダステーション１０のＣＰＵ１１は、注文総額から200円割引いた2,800円を会計金額として算出する。そして、オーダステーション１０のＣＰＵ１１は、図１２に示す会計金額確認画面をオーダ端末１ａのカラー液晶表示部２で表示させる（ステップ１１７）。
【００６０】
この会計金額確認画面は、会計金額を知らせる『お会計金額２，７００円』という案内文Ｃ５の表示、クーポンが利用されていることとそのクーポンの内容（特典）を知らせる『〜クーポンご利用〜お刺身200円割引が適用あれています』という案内文Ｃ６の表示、ＯＫ釦Ｃ３の表示、および呼出釦Ｃ４の表示を含む。なお、案内文Ｃ６は、注文総額3,000円から200円割引して会計金額が2,700円となったことを知らせる計算式を含む。
【００６１】
利用者は、案内文Ｃ１，Ｃ２あるいは案内文Ｃ５，Ｃ６を見ることにより、会計金額を知るとともに、どのような特典を得たかを具体的に知ることができる。また、注文者は、表示内容を確認し終わった場合に、ＯＫ釦Ｃ３にタッチ操作する。
【００６２】
オーダステーション１０のＣＰＵ１１は、オーダ端末１ａにおけるＯＫ釦Ｃ３のタッチ操作に応じて（ステップ１１８のＹＥＳ）、会計金額確認画面の表示を解除するとともに、算出した会計金額3,000円の情報をＰＯＳ端末２４に通知する(ステップ１１９)。続いて、オーダステーション１０のＣＰＵ１１は、ステップ１０１に戻ってオーダ端末１ａによる新たな利用者からの注文受付けを再開する（ステップ１０１）。
【００６３】
［まとめ］  
以上のように、利用者に与える特典を注文条件と共に定めた複数のクーポン情報を格納しておき、これらクーポン情報のうち、注文条件がオーダ端末１ａで受付けた注文内容に適合するクーポン情報を選定し、選定したクーポン情報の特典をオーダ端末１ａで表示することにより、注文状況に応じて得られる特典をその注文時に利用者にリアルタイムで適切に知らせることができる。
【００６４】
利用者にとっては、多様化するクーポン情報を覚えることなく、また特別の操作を要することもなく、注文状況に見合う特典を自動的に得ることができる。店舗にとっては、顧客へのサービス向上となり、ひいては販売の促進につながる。
【００６５】
クーポン情報として土・日・休日用と平日用の２種類を用意し、来店客が減りがちな平日は注文個数条件のレベルを下げたり特典を増やしたクーポン情報を選定するので、来店客の増加が期待できる。
【００６６】
日持ちのよくない生鮮食品である刺身については、注文時刻条件が異なる２種類のクーポン情報を用意し、閉店時刻が近い時間帯では注文個数条件のレベルを下げてしかも特典を増やしたクーポン情報を選定するので、刺身の販売を閉店前に促進することができる。ひいては、生鮮食品の在庫管理が容易となる。
【００６７】
なお、上記実施形態は、例として提示したものであり、発明の範囲を限定することは意図していない。上記実施形態は、その他の様々な形態で実施されることが可能であり、発明の要旨を逸脱しない範囲で、種々の省略、書き換え、変更を行うことができる。これら実施形態および変形例は、発明の範囲は要旨に含まれるとともに、特許請求の範囲に記載された発明とその均等の範囲に含まれる。
【符号の説明】
【００６８】
１ａ，１ｂ，…１ｎ……オーダ端末、２…カラー液晶表示部、５…ＣＰＵ、１０…オーダステーション、１１…ＣＰＵ、１２…操作部、１３…表示部、１４…記憶部、１５…ネットワークインタフェース、２０…ＬＡＮ、２１…無線アクセスユニット、２２…スタッフ端末、２３…キッチンプリンタ、２４…ＰＯＳ端末
【図１】
2014160348.tif 000003
【図２】
2014160348.tif 000004
【図３】
2014160348.tif 000005
【図４】
2014160348.tif 000006
【図５】
2014160348.tif 000007
【図６】
2014160348.tif 000008
【図７】
2014160348.tif 000009
【図８】
2014160348.tif 000010
【図９】
2014160348.tif 000011
【図１０】
2014160348.tif 000012
【図１１】
2014160348.tif 000013
【図１２】
2014160348.tif 000014